(57)【要約】【課題】戸パネル２６に対して握り引手３０を簡単かつ正確に取り付けることのできる、引き戸の引手構造１０を提供する。【解決手段】引き戸の引手構造１０は、引き戸１６を構成する戸パネル２６の幅方向端縁２６ａ近傍における少なくとも一方の主面２６Ａ，２６Ｂに形成された嵌入穴４０と、嵌入穴４０を利用して主面２６Ａ，２６Ｂに取り付けられた握り引手３０とを備えている。握り引手３０は、戸パネル２６の主面２６Ａ，２６Ｂに固定された基部４２と、基部４２と一体に形成され、かつ、嵌入穴４０に嵌入された嵌入部４４と、戸パネル２６の主面２６Ａ，２６Ｂから離間して上下方向へ延びて配置され、開閉操作の際に操作者によって握られる棒状の握り部４６と、握り部４６の上下方向両端部４６ａと基部４２とを連結する２つの連結脚部４８とを有している。【選択図】図２
2009091857.tif 000002
【特許請求の範囲】
【請求項１】
引き戸を構成する戸パネルの幅方向端縁近傍における少なくとも一方の主面に形成された嵌入穴と、前記嵌入穴を利用して前記主面に取り付けられた握り引手とを備える、引き戸の引手構造であって、
前記握り引手は、前記主面に固定された基部と、前記基部と一体に形成され、かつ、前記嵌入穴に嵌入された嵌入部と、前記主面から離間して上下方向へ延びて配置され、開閉操作の際に操作者によって握られる棒状の握り部と、前記握り部の上下方向両端部と前記基部とを連結する２つの連結脚部とを有している、引き戸の引手構造。
【請求項２】
前記連結脚部は、前記基部側の端部から前記握り部側の端部へ向かうにつれて前記戸パネルの前記幅方向端縁から遠ざかるように傾斜している、請求項１に記載の引き戸の引手構造。
【請求項３】
前記嵌入穴は、幅方向両端縁が上下方向へ延びる直線状に形成され、かつ、上下方向両端縁が円弧状に形成された長穴であり、
前記嵌入部は、幅方向両端面が上下方向へ延びる平面状に形成され、かつ、上下方向両端面が円弧面状に形成された突起であり、
前記長穴と前記突起とは同形状である、請求項１または２に記載の引き戸の引手構造。
【発明の詳細な説明】
【技術分野】
【０００１】
本発明は、戸パネルをその主面に対して平行方向へ移動させることによって、建物の開口部を開閉する引き戸の引手構造に関し、特に、「握り引手」を用いた引き戸の引手構造に関する。
【背景技術】
【０００２】
マンションまたは戸建住宅等の建物においては、玄関、トイレまたは部屋等の出入口すなわち開口部に「開き戸」、「折れ戸」または「引き戸」等が設けられており、これらのうち「引き戸」においては、手指を掛けるための「指掛け引手」や、手で握るための「握り引手」が戸パネルの少なくとも一方の主面に取り付けられている。
【０００３】
「指掛け引手」は、手指を掛ける凹部を構成する皿状の嵌入凹部を有しており、「指掛け引手」を戸パネルに取り付ける際には、嵌入凹部を嵌入するための嵌入穴を戸パネルに形成する必要があった。一方、「握り引手」は、操作者が手で握る棒状の握り部を有しており、「握り引手」を戸パネルに取り付ける際には、戸パネルの下端および幅方向端縁からの距離を正確に測定して取付位置を設定し、当該取付位置に「握り引手」を正確に取り付ける必要があった（特許文献１参照）。
【０００４】
なお、「握り引手」を戸パネルに取り付ける方法としては、「戸パネルに設けられた貫通孔に固定ねじを挿通し、これを『握り引手』に設けられた雌ねじ部に螺合する方法」（特許文献１参照）や、「『握り引手』に設けられたねじ孔に固定ねじを挿通し、これを戸パネルの主面にねじ込む方法」等が知られている。
【特許文献１】特開平１０−１２１７９２号公報
【発明の開示】
【発明が解決しようとする課題】
【０００５】
従来の「指掛け引手」を用いた「引き戸」では、戸パネルに嵌入穴が形成されていたが、当該嵌入穴は、専ら「指掛け引手」の取り付けのために形成されていたものであり、嵌入穴が形成された戸パネルを「握り引手」用に転用することは考えられていなかった。そのため、従来では、「指掛け引手」用と「握り引手」用の２種類の戸パネルを準備しておく必要があり、戸パネルの在庫管理が面倒であった。
【０００６】
一方、「握り引手」を用いた「引き戸」では、戸パネルの所定の取付位置に「握り引手」を正確に取り付ける必要があったが、取付位置の設定に手間がかかるだけでなく、取付作業において「位置ずれ」などの施工ミスが発生するおそれがあった。
【０００７】
それゆえに、本発明の主たる課題は、戸パネルに対して「握り引手」を簡単かつ正確に取り付けることのできる、引き戸の引手構造を提供することである。また、本発明の他の課題は、「指掛け引手」用の戸パネルを「握り引手」用の戸パネルに転用可能にすることによって、戸パネルの在庫管理を容易にすることができる、引き戸の引手構造を提供することである。
【課題を解決するための手段】
【０００８】
請求項１に記載した発明は、「引き戸１６を構成する戸パネル２６の幅方向端縁２６ａ近傍における少なくとも一方の主面２６Ａ，２６Ｂに形成された嵌入穴４０と、前記嵌入穴４０を利用して前記主面２６Ａ，２６Ｂに取り付けられた握り引手３０とを備える、引き戸の引手構造１０であって、前記握り引手３０は、前記主面２６Ａ，２６Ｂに固定された基部４２と、前記基部４２と一体に形成され、かつ、前記嵌入穴４０に嵌入された嵌入部４４と、前記主面２６Ａ，２６Ｂから離間して上下方向へ延びて配置され、開閉操作の際に操作者によって握られる棒状の握り部４６と、前記握り部４６の上下方向両端部４６ａと前記基部４２とを連結する２つの連結脚部４８とを有している、引き戸の引手構造１０」である。
【０００９】
本発明では、嵌入部４４を嵌入穴４０に嵌入することによって、戸パネル２６に対して握り引手３０を簡単かつ正確に位置決めすることができる。また、嵌入穴４０は、指掛け引手６０を取り付ける場合でもそのまま用いることができるので、握り引手３０用の戸パネル２６を指掛け引手６０用に転用することができ、逆に、指掛け引手６０用の戸パネル２６を握り引手３０用の戸パネル２６に転用することができる。
【００１０】
請求項２に記載した発明は、請求項１に記載した「引き戸の引手構造１０」において、「前記連結脚部４８は、前記基部４２側の端部４８ａから前記握り部４６側の端部４８ｂへ向かうにつれて前記戸パネル２６の前記幅方向端縁２６ａから遠ざかるように傾斜している」ことを特徴とする。
【００１１】
一般に、引き戸においては、戸パネルに取り付けられた「指掛け引手」または「握り引手」に手を掛けて戸パネルを開閉操作するため、戸を最大に開いたときでも「指掛け引手」または「握り引手」を開口部の内側に露出させておく必要がある。つまり、これらが壁に隠れてしまわないようにする必要がある。
【００１２】
そのため、本発明においても、引き戸１６を最大に開いたときの有効開口面積を広く確保するためには、戸パネル２６の幅方向端縁２６ａにできるだけ近接した位置に嵌入穴４０を形成しておくことが望ましい。ところが、戸パネル２６の幅方向端縁２６ａに近接した位置に握り引手３０を配設する場合には、「手指を挟む事故」を防止するために、開口部１２の内側に設けられた開口枠１４と握り部４６との間に手指を逃がすスペースＳを確保する必要がある。
【００１３】
請求項２に記載した発明では、握り引手３０の連結脚部４８を傾斜させているので、戸パネル２６の幅方向端縁２６ａに近接した位置に嵌入穴４０を形成した場合でも握り引手３０の握り部４６を当該幅方向端縁２６ａから十分に離間させることができ、開口部１２の内側に設けられた開口枠１４と握り部４６との間に手指を逃がすスペースＳを確保できる。
【００１４】
請求項３に記載した発明は、請求項１または２に記載した「引き戸の引手構造１０」において、「前記嵌入穴４０は、幅方向両端縁４０ａが上下方向へ延びる直線状に形成され、かつ、上下方向両端縁４０ｂが円弧状に形成された長穴であり、前記嵌入部４４は、幅方向両端面４４ａが上下方向へ延びる平面状に形成され、かつ、上下方向両端面４４ｂが円弧面状に形成された突起であり、前記長穴と前記突起とは同形状である」ことを特徴とする。
【００１５】
本発明では、嵌入部４４の平面状の幅方向端面４４ａを嵌入穴４０の直線状の幅方向端縁４０ａに当接させることによって、所定の取付位置に対して握り引手３０を正確に位置決めすることができる。また、嵌入部４４を嵌入穴４０に嵌入する際には、嵌入部４４を円弧面状の端面４４ｂ側から嵌入穴４０にスムーズに嵌入することができる。つまり、円弧面状の端面４４ｂには「角」が存在しないため、当該「角」が嵌入穴４０の内周縁に引っ掛かることはなく、嵌入部４４を嵌入穴４０に容易に嵌入することができる。
【発明の効果】
【００１６】
請求項１〜３に記載した発明によれば、握り引手３０の嵌入部４４を嵌入穴４０に嵌入することによって、戸パネル２６に対して握り引手３０を簡単かつ正確に位置決めすることができる。また、嵌入穴４０は、指掛け引手６０を取り付ける際にもそのまま用いることができるので、握り引手３０用の戸パネル２６を指掛け引手６０用に転用することができ、逆に、指掛け引手６０用の戸パネル２６を握り引手３０用の戸パネル２６に転用することができ、戸パネル２６の在庫管理を容易にすることができる。
【００１７】
請求項２に記載した発明によれば、握り引手３０の連結脚部４８を傾斜させているので、戸パネル２６の幅方向端縁２６ａに近接した位置に嵌入穴４０を形成した場合でも握り引手３０の握り部４６を当該幅方向端縁２６ａから十分に離間させることができ、開口部１２の内側に設けられた開口枠１４と握り部４６との間で手指が挟まれる事故を防止できる。
【発明を実施するための最良の形態】
【００１８】
図１は、本発明に係る引き戸の引手構造（以下、単に「引手構造」と略す。）１０および引き戸１６の全体構造を示す正面図であり、図２は、図１におけるII-II線断面図である。
【００１９】
マンションまたは戸建住宅等の建物においては、玄関、トイレまたは部屋等の出入口に開口部１２が構成されており、当該開口部１２に設けられた開口枠１４に引き戸１６が取り付けられている。本発明に係る引手構造１０は、引き戸１６の部分的構造に関するものである。そこで、以下には、開口枠１４および引き戸１６について説明する中で、引手構造１０について言及する。
【００２０】
開口枠１４は、図１および図２に示すように、開口部１２の左右両側縁に上下方向へ延びて設けられた２本の縦枠１８と、開口部１２の下端縁に左右方向へ延びて設けられた下枠２０と、開口部１２の上端縁に左右方向へ延びて設けられた上枠２２とによって構成されている。下枠２０および上枠２２は、開口部１２の横幅の約２倍の長さを有しており、下枠２０および上枠２２の半分が、開口部１２の下端縁および上端縁に沿って配置されており、残りの半分が、開口部１２の側方に位置する壁２４に沿って配置されている。また、下枠２０および上枠２２には、引き戸１６の戸パネル２６を摺動自在に保持するための溝２８が形成されている。
【００２１】
引き戸１６は、開口枠１４に摺動自在に取り付けられた建具であり、略四角形の板状の戸パネル２６と、戸パネル２６の両主面２６Ａ，２６Ｂに取り付けられた２つの握り引手３０とによって構成されている。
【００２２】
戸パネル２６（図１、２）は、戸枠３２と、戸枠３２の表裏両面に接着剤等により接合された板状の表面材３４とを備えている。
【００２３】
戸枠３２は、少なくとも２本の縦枠材３６と少なくとも２本の横枠材３８とを枠組みすることによって構成された枠体であり、戸枠３２が「芯材」となって戸パネル２６の全体形状が保持されている。縦枠材３６および横枠材３８の材質は、特に限定されるものではないが、加工が容易な点において、ＬＶＬ（平行合板）、合板、集成材または無垢材等の木質材を用いることが望ましい。
【００２４】
表面材３４は、戸パネル２６の表裏両面を構成する板材であり、具体的には、合板、中密度繊維板または高密度繊維板等の木質材や、これらの表面に合成樹脂化粧シート、化粧紙または突板等を貼り付けたものなどが表面材３４として用いられる。
【００２５】
そして、戸パネル２６の幅方向端縁２６ａ近傍における両主面２６Ａ，２６Ｂには、図３に示すように、握り引手３０の取り付けに用いる嵌入穴４０が形成されている。嵌入穴４０は、上下方向へ延びる長穴であり、嵌入穴４０の幅方向両端縁４０ａは上下方向へ延びる直線状に形成されており、嵌入穴４０の上下方向両端縁４０ｂは円弧状に形成されている。
【００２６】
なお、戸パネル２６の一方の主面２６Ａ，２６Ｂに形成される嵌入穴４０と他方の主面２６Ｂ，２６Ａに形成される嵌入穴４０とは、「有底穴」として独立して形成してもよいが、「加工性」を高める観点からは、これらを戸パネル２６の厚み方向において連続する「貫通孔」として形成することが望ましい。また、本実施例における嵌入穴４０は、「指掛け引手６０（図８〜図１０）」の取り付けに用いることも考えられるため、その場合でも開口部１２の有効開口面積を広く確保するために、嵌入穴４０を戸パネル２６の幅方向端縁２６ａにできるだけ近接した位置に形成することが望ましい。さらに、嵌入穴４０を形成したことによる戸パネル２６の著しい強度低下を防止するために、戸枠３２を構成する縦枠材３６に嵌入穴４０を形成することが望ましい。
【００２７】
握り引手３０は、図４〜図６に示すように、戸パネル２６の主面２６Ａ，２６Ｂに固定される基部４２と、基部４２と一体に形成され、かつ、嵌入穴４０に嵌入される嵌入部４４と、当該主面２６Ａ，２６Ｂから離間して上下方向へ延びて配置され、開閉操作の際に操作者によって握られる棒状の握り部４６と、握り部４６の上下方向両端部４６ａと基部４２とを連結する２つの連結脚部４８とを有している。
【００２８】
そして、握り引手３０の構成要素のうち、基部４２と嵌入部４４とが、金属（アルミニウムまたは亜鉛等）、木質材または合成樹脂等によって一体に形成されており、握り部４６と２つの連結脚部４８とが、金属（アルミニウムまたは亜鉛等）、木質材または合成樹脂等によって一体に形成されている。
【００２９】
基部４２は、戸枠３２を構成する縦枠材３６に沿って配設される板状部材であり、表面側へ膨らんだ細長い板状の基部本体４２ａと、基部本体４２ａの背面に形成された複数の補強リブ４２ｂとによって構成されており、基部本体４２ａの背面中央部に嵌入部４４が一体に形成されている。また、基部本体４２ａの上下方向両端部には、基部４２に連結脚部４８を接続するための接続ねじ５０が挿通される貫通孔５２と、基部４２を戸パネル２６に固定するための固定ねじ５４（図３）が挿通される２つの貫通孔５６ａ，５６ｂとが形成されている。
【００３０】
貫通孔５６ａ，５６ｂに挿通される固定ねじ５４（図３）は、戸パネル２６の主面２６Ａ，２６Ｂにねじ込まれるため、戸パネル２６の両主面２６Ａ，２６Ｂに握り引手３０を取り付ける際には、両主面２６Ａ，２６Ｂにねじ込まれる固定ねじ５４どうしが干渉するのを避ける必要がある。そこで、本実施例では、基部本体４２ａの幅方向一方端縁に近接する２つの貫通孔５６ａが、幅方向他方端縁に近接する２つの貫通孔５６ｂに対して上下方向へずらして形成されている。
【００３１】
嵌入部４４は、嵌入穴４０に嵌入される突起であり、嵌入部４４の形状は、嵌入した際に握り引手３０を位置決めできるように、嵌入穴４０とほぼ同形状に設定されている。つまり、嵌入部４４の幅方向両端面４４ａは上下方向へ延びる平面状に形成されており、嵌入部４４の上下方向両端面４４ｂは円弧面状に形成されている。
【００３２】
握り部４６は、開閉操作の際に操作者によって握られる棒状部材であり、握り部４６の全体形状は、戸パネル２６の主面２６Ａ，２６Ｂから離間する方向へ滑らかに湾曲したアーチ状に形成されている。また、握り部４６の断面形状は、握りやすさ等を考慮して、略円形、楕円形または長円形等のような「角」が無い形状に設定されている。そして、握り部４６の上下方向両端部４６ａに連結脚部４８が一体に形成されている。
【００３３】
なお、握り部４６の表面には、手指が触れたときの「冷たさ」や「ベタツキ」を解消することを目的として、複数の突条または条溝を形成したり、エンボス加工を施したりしてもよい。また、握り部４６と各連結脚部４８とを別々に形成し、これらを接続ねじ（図示省略）等を用いて互いに接続するようにしてもよい。また、握り部４６は、アーチ状の他、単なる棒状に形成されてもよい。
【００３４】
連結脚部４８は、握り部４６と基部４２とを連結するとともに、握り部４６と戸パネル２６の主面２６Ａ，２６Ｂとの間に手指が入る程度の隙間を確保する部材であり、基部４２側の端部４８ａから握り部４６側の端部４８ｂへ向かうにつれて戸パネル２６の幅方向端縁２６ａから遠ざかるように傾斜して形成されている。そして、連結脚部４８の基部４２と対向する面には、接続ねじ５０が螺合されるねじ穴５８（図５，図６）が形成されている。
【００３５】
握り引手３０を組み立てる際には、基部４２の表面に２つの連結脚部４８を位置決めし、基部４２と連結脚部４８とを接続ねじ５０（図４）を用いて接続する。
【００３６】
握り引手３０を戸パネル２６に取り付ける際には、握り引手３０の嵌入部４４を嵌入穴４０に嵌入するとともに、握り引手３０の基部４２に形成された貫通孔５６ａ，５６ｂに固定ねじ５４（図３）を挿通し、この固定ねじ５４を戸パネル２６の表面材３４および戸枠３２（縦枠材３６）にねじ込む。
【００３７】
本発明に係る引手構造１０は、「戸パネル２６に対する嵌入穴４０の形成位置」、「握り引手３０の構成」および「握り引手３０の取付態様」を含む引き戸１６の部分的構造に関するものであり、握り引手３０を戸パネル２６に取り付けた段階で引手構造１０が完成する。
【００３８】
握り引手３０を戸パネル２６に取り付けた状態では、連結脚部４８の「握り部４６側の端部４８ｂ」は、連結脚部４８の「基部４２側の端部４８ａ」よりも戸パネル２６の幅方向端縁２６ａから離れた位置にある。つまり、戸パネル２６の幅方向端縁２６ａから「握り部４６側の端部４８ｂ」までの距離Ｒ２は、戸パネル２６の幅方向端縁２６ａから基部４２側の端部４８ａまでの距離Ｒ１よりも長くなっている。したがって、引き戸１６を閉じた際には、図２に示すように、握り引手３０の握り部４６と開口枠１４（縦枠１８）との間に手指が入る程度の隙間Ｓを確保でき、「手指を挟む事故」を防止できるとともに、握り部４６を握り易くなる。また、この隙間Ｓによって窮屈感が解消されるため、意匠性を高めることができる。
【００３９】
一方、引き戸１６を開いた際には、図７に示すように、握り引手３０の基部４２が開口枠１４（縦枠１８）の手前まで移動される。このとき、仮に、握り引手３０の連結脚部４８が傾斜していなければ、握り部４６と開口枠１４（縦枠１８）との間には、間隔Ｌ（図７）が生じるが、本発明では、連結脚部４８が傾斜しているので間隔Ｌが生じることはない。したがって、間隔Ｌの分だけ開口部１２の有効開口面積を広く確保できる。また、握り部４６を開口枠１４（縦枠１８）に近接して配置できるので、開口部１２を通行する際に開口部１２にぶつかる事故を防止できる。
【００４０】
なお、上述の実施例では、握り引手３０を戸パネル２６の両主面２６Ａ，２６Ｂに取り付けた場合を示したが、握り引手３０は、戸パネル２６の少なくとも一方の主面２６Ａまは２６Ｂに取り付けられていればよい。握り引手３０を戸パネル２６のいずれか一方の主面２６Ａ，２６Ｂだけに取り付ける場合には、他方の主面２６Ｂ，２６Ａに嵌入穴４０を形成する必要がないので、一方の主面２６Ａ，２６Ｂには「有底」の嵌入穴４０を形成することになる。
【００４１】
また、握り引手３０を戸パネル２６の両主面２６Ａ，２６Ｂに取り付ける場合には、一方の握り引手３０における基部４２の背面に「雄部材」を設けるとともに、他方の握り引手３０における基部４２の背面に「雌部材」を設け、「雄部材」と「雌部材」とを係合または嵌合させるようにしてもよい。また、一方の握り引手３０に取り付けられた「雌ねじ部材」に他方の握り引手３０に取り付けられた（または係止された）「雄ねじ部材」を螺合させるようにしてもよい。
【００４２】
嵌入穴４０が形成された戸パネル２６を「指掛け引手」用に転用する場合には、図８〜図９に示すように、戸パネル２６の嵌入穴４０に指掛け引手６０を装着する。
【００４３】
指掛け引手６０は、図１０に示すように、嵌入穴４０に嵌入される嵌入凹部６２と、嵌入凹部６２における開口部側の外周縁に形成された鍔部６４とを有している。嵌入凹部６２は、手指を掛ける凹部６６を構成する部分であり、嵌入凹部６２の形状は、嵌入穴４０に嵌入した際に指掛け引手６０を位置決めできるように、嵌入穴４０とほぼ同形状に設定されている。つまり、嵌入凹部６２の幅方向両端面６２ａは上下方向へ延びる平面状に形成されており、嵌入凹部６２の上下方向両端面６２ｂは円弧面状に形成されている。
【００４４】
指掛け引手６０を戸パネル２６に取り付ける際には、指掛け引手６０の嵌入凹部６２を嵌入穴４０に嵌入し、指掛け引手６０の鍔部６４を戸パネル２６の主面２６Ａ，２６Ｂに接着剤または固定ねじ等によって接合する。
【００４５】
指掛け引手６０を戸パネル２６に取り付けた状態では、図８および図９に示すように、指掛け引手６０の全体が戸パネル２６の幅方向端縁２６ａに近接した位置にある。しかし、指掛け引手６０では、握り引手３０のように戸パネル２６の主面２６Ａ，２６Ｂから大きく突出する部分（握り部４６）が存在しないので、引き戸１６を閉じたときの「手指を挟む事故」は問題とならない。また、引き戸１６を開いた際には、図９に示すように、指掛け引手６０の全体が開口枠１４（縦枠１８）に近接した位置まで移動されるが、指掛け引手６０の全体が戸パネル２６の幅方向端縁２６ａに近接した位置にあるので、開口部１２の有効開口面積を広く確保できる。
【図面の簡単な説明】
【００４６】
【図１】本発明に係る引き戸の引手構造および引き戸の全体構造を示す正面図
【図２】図１におけるＩＩ−ＩＩ線断面図
【図３】引き戸の引手構造を示す分解図
【図４】握り引手を示す正面図、背面図および平面図
【図５】握り引手を示す側面図
【図６】図５におけるＶＩ−ＶＩ線断面図
【図７】引き戸を開いた状態を示す正面図
【図８】「握り引手」に代えて「指掛け引手」を用いた引き戸を示す正面図
【図９】図８の要部を示す断面図
【図１０】指掛け引手を示す斜視図
【符号の説明】
【００４７】
１０…  引き戸の引手構造
１２…  開口部
１４…  開口枠
１６…  引き戸
１８…  縦枠
２６…  戸パネル
３０…  握り引手
３２…  戸枠
３６…  縦枠材
４０…  嵌入穴
４２…  基部
４４…  嵌入部
４６…  握り部
４８…  連結脚部
６０…  指掛け引手
６２…  嵌入凹部
６４…  鍔部
【図１】
2009091857.tif 000003
【図２】
2009091857.tif 000004
【図３】
2009091857.tif 000005
【図４】
2009091857.tif 000006
【図５】
2009091857.tif 000007
【図６】
2009091857.tif 000008
【図７】
2009091857.tif 000009
【図８】
2009091857.tif 000010
【図９】
2009091857.tif 000011
【図１０】
2009091857.tif 000012